(57)【要約】【課題】光源の個々の光量バラツキに起因する色度の変動を抑制する。【解決手段】ＲＧＢセンサ１２３は、光源（ＬＥＤ１２１、１１９、１１７）ごとの点灯光量を検出する。ＣＰＵ１０１は、光源ごとに検出された点灯光量に基づいて色度を取得し、色度に基づいて各光源に供給する制御電流を設定し、該設定した制御電流で各光源を制御する。【選択図】図１１
2020046464.tif 000002
【特許請求の範囲】
【請求項１】
色ごとの光源を有する光源ユニットと、
前記光源ユニットの前記各光源から発せられた光から画像を形成する形成手段と、
前記形成手段により形成された画像を投射する投射手段と、
前記光源ごとに点灯光量を検出する検出手段と、
前記検出手段により検出された点灯光量に基づいて色度を取得する取得手段と、
前記取得手段により取得された色度に基づいて、前記光源ユニットの前記各光源に供給する制御電流を設定し、該設定した制御電流で前記各光源を制御する制御手段と、を有することを特徴とする画像投射装置。
【請求項２】
前記制御手段は、前記検出された点灯光量に基づいて取得される色度と目標色度との差分が所定範囲内となるように、前記制御電流を設定することを特徴とする請求項１に記載の画像投射装置。
【請求項３】
前記制御手段は、前記検出された点灯光量に基づいて前記各光源に供給する制御電流を切り替え、
前記制御手段は、前記光源の点灯開始から所定時間が経過する前までは第１の時間間隔で前記制御電流を切り替え、前記光源の点灯開始から前記所定時間が経過した後は前記第１の時間間隔より長い第２の時間間隔で前記制御電流を切り替えることを特徴とする請求項１または２に記載の画像投射装置。
【請求項４】
前記所定時間は、予め定められた固定値であることを特徴とする請求項３に記載の画像投射装置。
【請求項５】
前記光源ユニットの温度を測定する測定手段を有し、
前記制御手段は、前記測定手段により測定された温度に基づいて前記所定時間を決定することを特徴とする請求項３に記載の画像投射装置。
【請求項６】
前記制御手段は、前記光源の点灯開始時には、前記光源ごとに予め定めた制御電流を前記各光源に供給することを特徴とする請求項１乃至４のいずれか１項に記載の画像投射装置。
【請求項７】
前記光源ユニットの温度を測定する測定手段を有し、
前記制御手段は、前記光源の点灯開始時には、前記測定手段により測定された温度に基づいて設定した制御電流を前記各光源に供給することを特徴とする請求項１乃至５のいずれか１項に記載の画像投射装置。
【請求項８】
前記検出手段により検出される点灯光量はＲＧＢ信号として出力され、
前記制御手段は、前記出力されたＲＧＢ信号をＸＹＺ表色系に変換して前記色度を取得することを特徴とする請求項１乃至７のいずれか１項に記載の画像投射装置。
【請求項９】
前記形成手段は、ＤＭＤ（デジタル・マイクロミラー・デバイス）を含むことを特徴とする請求項１乃至８のいずれか１項に記載の画像投射装置。
【請求項１０】
前記光源ユニットの前記各光源から発せられた光を前記形成手段に集光する光学素子として、フライアイレンズ、コンデンサレンズおよびプリズムレンズを有することを特徴とする請求項９に記載の画像投射装置。
【請求項１１】
外部モニタに画像を出力可能な出力手段と、
前記出力手段により出力される画像を投射する場合に、前記画像の出力先を前記投射手段に切り替える切替部とを有することを特徴とする請求項１乃至１０のいずれか１項に記載の画像投射装置。
【請求項１２】
前記光源ユニットの前記光源は、赤色、緑色および青色の３つのＬＥＤ光源であることを特徴とする請求項１乃至１１のいずれか１項に記載の画像投射装置。
【請求項１３】
色ごとの光源を有する光源ユニットと、前記光源ユニットの前記各光源から発せられた光から画像を形成する形成手段と、前記形成手段により形成された画像を投射する投射手段と、前記光源ごとに点灯光量を検出する検出手段と、を有する画像投射装置の制御方法であって、
前記検出手段により検出された点灯光量に基づいて色度を取得し、
前記取得された色度に基づいて、前記光源ユニットの前記各光源に供給する制御電流を設定し、該設定した制御電流で前記各光源を制御する、ことを特徴とする画像投射装置の制御方法。
【発明の詳細な説明】
【技術分野】
【０００１】
本発明は、光量制御が可能なプロジェクタ装置等の画像投射装置およびその制御方法に関する。
【背景技術】
【０００２】
従来、光量制御が可能な画像投射装置が知られている。例えば、画像投射装置としてのプロジェクタ装置には、赤色（Ｒ）、緑色（Ｇ）、青色（Ｂ）の３つのＬＥＤ光源が用いられる。赤色、緑色、青色の各ＬＥＤ光源を、以下、各色のアルファベットの頭文字を用い、Ｒ−ＬＥＤ、Ｇ−ＬＥＤ、Ｂ−ＬＥＤと記す。これらの各ＬＥＤ光源は、周囲の温度変化に対する光量変化が色毎に異なる。そのため、各ＬＥＤ光源の点灯制御を開始すると、ＬＥＤ光源によって合成出力される投影光のホワイトバランスは、環境の温度変化や装置（各ＬＥＤ光源）自体の自己温度上昇に伴って時間と共に変化する。従って、ＬＥＤ光源の温度変化が収束するまでの間は投影光のホワイトバランスが崩れ、色度変動を伴うことになる。
【０００３】
このようなホワイトバランスの変動を抑制する手法として、例えば、特許文献１が開示されている。特許文献１の装置は、各ＬＥＤ光源またはその近傍に配置した温度センサで取得した温度に基づいて、ＬＥＤ光源ごとに制御電流を設定し、各ＬＥＤ光源の光量を安定制御することで、投射映像の色度変動を抑制している。すなわち、特許文献１の装置は、検出温度に基づいて、光源の光強度を、予め予測した光強度に補正する。
【先行技術文献】
【特許文献】
【０００４】
【特許文献１】特開２０１０−１９１４０２号公報
【発明の概要】
【発明が解決しようとする課題】
【０００５】
ＬＥＤ光源に供給される制御電流によって得られる点灯光量は、周辺温度により異なるが、個々のＬＥＤ光源によっても異なる。例えば、半導体の製造バラツキ等に起因して、ＬＥＤ光源は個別に点灯光量のバラツキを有する。特許文献１の装置では、周辺温度に応じて点灯光量を補正可能であるが、ＬＥＤ光源の個々の光量バラツキを補償することができない。
【０００６】
本発明は、光源の個々の光量バラツキに起因する色度の変動を抑制することを目的とする。
【課題を解決するための手段】
【０００７】
上記目的を達成するために本発明は、色ごとの光源を有する光源ユニットと、前記光源ユニットの前記各光源から発せられた光から画像を形成する形成手段と、前記形成手段により形成された画像を投射する投射手段と、前記光源ごとに点灯光量を検出する検出手段と、前記検出手段により検出された点灯光量に基づいて色度を取得する取得手段と、前記取得手段により取得された色度に基づいて、前記光源ユニットの前記各光源に供給する制御電流を設定し、該設定した制御電流で前記各光源を制御する制御手段と、を有することを特徴とする。
【発明の効果】
【０００８】
本発明によれば、光源の個々の光量バラツキに起因する色度の変動を抑制することができる。
【図面の簡単な説明】
【０００９】
【図１】プロジェクタ装置の概略ブロック図である。
【図２】各ＬＥＤの温度特性を示す図である。
【図３】光学ユニット構成を示す図である。
【図４】光量制御部のブロック図である。
【図５】各ＬＥＤに供給される点灯制御信号（制御電流）の一例を示す図である。
【図６】定電流制御回路の概略構成を示す図である。
【図７】各ＬＥＤの温度特性と制御電流の関係を示す図、Ｒ−ＬＥＤの放熱構造を示す図である。
【図８】色度の時間変化を示す図である。
【図９】ＸＹＺ(Ｙｘｙ)表色系を用いた色度補正を説明する図、色度調整機構のブロック図である。
【図１０】ＸＹＺ表色系色度図である。
【図１１】色度調整処理のフローチャートである。
【図１２】各ＬＥＤの温度特性と制御電流の関係を示す図である。
【図１３】色度調整処理のフローチャートである。
【図１４】変形例のプロジェクタ装置の概略ブロック図である。
【図１５】変形例のプロジェクタ装置の構成例を示す図である。
【発明を実施するための形態】
【００１０】
以下、図面を参照して本発明の実施の形態を説明する。
【００１１】
（第１の実施の形態）
図１は、本発明の第１の実施形態に係る画像投射装置としてのプロジェクタ装置の概略ブロック図である。このプロジェクタ装置１００は、プロジェクタ装置１００の全体を制御するＣＰＵ１０１を有する。プロジェクタ制御部１０２はＣＰＵ１０１と接続され、ＣＰＵ１０１からの指示によって、接続されている各部を制御する。
【００１２】
プロジェクタ装置１００は動作設定を行うための操作パネル１０５を有する。操作パネル１０５は、例えばＬＣＤ（液晶）表示パネルやＥＬ（自発光）パネル等で構成される。操作パネル１０５によって入力された情報は、プロジェクタ制御部１０２によって処理され、制御に反映される。ＣＰＵ１０１は、ＲＯＭ１０３に格納された制御プログラムをＲＡＭ１０４に展開し、当該制御プログラムに応じた操作パネル１０５の表示設定やプロジェクタ制御部１０２に入力された各種情報に対する処理制御を実行する。
【００１３】
プロジェクタ制御部１０２には、Ｒ電流制御部１２０、Ｇ電流制御部１１８、Ｂ電流制御部１１６が接続されている。Ｒ電流制御部１２０、Ｇ電流制御部１１８、Ｂ電流制御部１１６にはそれぞれ、赤色（Ｒ）、緑色（Ｇ）、青色（Ｂ）の３つのＬＥＤ光源が接続される。これら赤色、緑色、青色の各ＬＥＤ光源を個別に特定するときは、以下、各色のアルファベットの頭文字を用い、Ｒ−ＬＥＤ１２１、Ｇ−ＬＥＤ１１９、Ｂ−ＬＥＤ１１７と記す。ＬＥＤ冷却部１２２は、ＬＥＤ１２１、１１９、１１７の温度上昇を抑制するための放熱用のファン（ＦＡＮ）である。
【００１４】
プロジェクタ装置１００は、画像や音声を入力するための、画像入力Ｉ／Ｆ１０６と音声入力Ｉ／Ｆ１１１とを有する。不図示の外部装置（ＤＶＤプレーヤやビデオカメラ等）から画像入力Ｉ／Ｆ１０６を通じて入力された画像信号は、画像信号処理部１０７により、ホワイトバランス、入力γ特性、カラーバランス等の処理を施され、プロジェクタ装置１００に最適化される。画像信号は、画像信号処理部１０７によって信号処理が施された後、画像変換部１０８によって、ＤＭＤ素子１１０の画角に合うように画角変換が施される。ＤＭＤ素子１１０は、ＴＩ（Texas Instruments）社が提案するＤＬＰチップ（登録商標）である。ＤＭＤ素子１１０は、電気制御によって電気信号を光信号に高速で効率よく変換可能なデジタル・マイクロミラー・デバイス（Digital Micromirror Device）である。即ち、ＤＭＤ素子１１０は、デジタルライトプロセッシング(Digital Light Processing)方式により再生映像を形成する素子である。ＤＭＤ素子１１０は、ＬＥＤ１２１、１１９、１１７から同期出力される照射光を、後述する投影レンズ３１１（図３、図４）に向けて反射させることで画像を投影可能としている。
【００１５】
ＤＭＤ駆動部１０９は、ＤＭＤ素子１１０の個々のミラー動作を制御する。ＤＭＤ駆動部１０９は、ＬＥＤ１２１、１１９、１１７の各々の発光量を制御すべく、プロジェクタ制御部１０２を介してＲ電流制御部１２０、Ｇ電流制御部１１８、Ｂ電流制御部１１６に供給すべき電流値を設定する。
【００１６】
不図示の外部装置（ＤＶＤプレーヤやビデオカメラ等）から音声入力Ｉ／Ｆ１１１を通じて入力された音声信号は、音声出力部１１２でＳ／Ｎ比が改善され、さらに増幅される。増幅された信号は、音声切替部１１４を介して内部スピーカ１１５に出力されるか、若しくは、音声出力Ｉ／Ｆ１１３を介して不図示の外部スピーカに出力される。
【００１７】
プロジェクタ装置１００は、ＲＧＢセンサ１２３を有する。ＲＧＢセンサ１２３は、光源ごとの点灯光量、すなわちＬＥＤ１２１、１１９、１１７の各点灯光量を検出する検出手段である。ＣＰＵ１０１は、例えば、ＲＧＢセンサ１２３によって検出されたＬＥＤ１２１、１１９、１１７の光量に応じて、予め決められた制御プログラムに沿ってＲ電流制御部１２０、Ｇ電流制御部１１８、Ｂ電流制御部１１６の各設定値を算出する。そしてＣＰＵ１０１は、これらの設定値を制御データとして電流制御部１２０、１１８、１１６に供給する。
【００１８】
プロジェクタ装置１００は、サーミスタ１１０１を有する。サーミスタ１１０１はプロジェクタ装置１００の内部温度（機内温度）、若しくは、ＬＥＤ１２１、１１９、１１７からなる光源ユニット３０１の温度を測定する。なお、サーミスタ１１０１はＬＥＤ１２１、１１９、１１７の個々の温度を検出できる構成であってもよい。なお、サーミスタ１１０１は第２の実施の形態で用いられるが、本実施の形態で設けることは必須でない。
【００１９】
図２（ａ）、（ｂ）、（ｃ）は、ＬＥＤ１２１、１１９、１１７の温度特性を示す図である。ＬＥＤ１２１、１１９、１１７として選定されるＬＥＤは、大電流制御が可能ないわゆるパワーＬＥＤである。図２（ａ）は、Ｒ−ＬＥＤ１２１の温度特性を示し、縦軸２０４に、Ｒ−ＬＥＤ１２１の温度が約２５°のときの光量２０２を１と規定した場合のＲ光量比をとり、横軸２０５にＲ−ＬＥＤ１２１の温度をとっている。曲線２０１は、Ｒ−ＬＥＤ１２１に供給される制御電流の値が一定であるとして、温度変化に伴うＲ光量比の変動特性をプロットした曲線である。収束線２０３は、Ｒ−ＬＥＤ１２１を不図示の放熱部にセットした状態における温度上昇が収束する温度（温度収束点）を示している。
【００２０】
図２（ｂ）は、Ｇ−ＬＥＤ１１９の温度特性を示し、縦軸２０９に、Ｇ−ＬＥＤ１１９の温度が約２５°のときの光量２０７を１と規定した場合のＧ光量比をとり、横軸２１０にＧ−ＬＥＤ１１９の温度をとっている。曲線２０６は、Ｇ−ＬＥＤ１１９に供給される制御電流の値が一定であるとして、温度変化に伴うＧ光量比の変動特性をプロットした曲線である。収束線２０８は、Ｇ−ＬＥＤ１１９を不図示の放熱部にセットした状態における温度上昇が収束する温度（温度収束点）を示している。
【００２１】
図２（ｃ）は、Ｂ−ＬＥＤ１１７の温度特性を示し、縦軸２１４に、Ｂ−ＬＥＤ１１７の温度が約２５°のときの光量２１２を１と規定した場合のＢ光量比をとり、横軸２１５にＢ−ＬＥＤ１１７の温度をとっている。曲線２１１は、Ｂ−ＬＥＤ１１７に供給される制御電流の値が一定であるとして、温度変化に伴うＢ光量比の変動特性をプロットした曲線である。収束線２１３は、Ｂ−ＬＥＤ１１７を不図示の放熱部にセットした状態における温度上昇が収束する温度（温度収束点）を示している。
【００２２】
各ＬＥＤの温度変化に伴うＲ光量比の変動率（図２（ａ））は、Ｇ光量比、Ｂ光量比の変動率に比べると大きい。Ｒ−ＬＥＤ１２１の点灯開始からＲ−ＬＥＤ１２１の温度が安定するまでの間に数１０％の光量低下が生じ、色度変化も大きなものとなる。特に、Ｒ−ＬＥＤ１２１の光量変動は、色を数値化する際に一般的に用いられているＸＹＺ（Ｙｘｙ）表色系（Ｙ：反射率（明度）、ｘｙ：色度）におけるｘ軸の数値に影響を及ぼす（詳細は図１０で説明する）。従って、温度変化に伴う色度変動を抑制する上ではＲ光量比の変動を少なくすることが効果的である。併せて、温度特性の相違により、制御電流に応じた点灯光量も、各ＬＥＤの発熱に伴う温度変化に応じて変化する。従って、投影面上の光量や色度変動を正確に調整（色度調整）するためには、点灯制御中の光源の光量や色度変動を検出し、温度特性の変化に伴う色度のズレを補正するのが望ましい。そこで、本実施の形態では、ＣＰＵ１０１は、ＲＧＢセンサ１２３の検出結果を基に、ＬＥＤ１２１、１１９、１１７の色度変化を算出し、逐次補正を実行することで色度変動を抑制するよう制御する。
【００２３】
図３は、プロジェクタ装置１００の光学ユニット構成を示す図である。光学ユニットは複数の光学素子を有する。光源ユニット３０１は、ＬＥＤ１２１、１１９、１１７からなる。光源ユニット３０１からの光は、コンデンサレンズ(Condenser Lens)３０２を介してフライアイレンズ(Fly Eye Lens)３０３に導光される。フライアイレンズ３０３は複数枚の縦横マトリクス状に配列したレンズ体からなり、光源が点光源として扱える程度に小さい場合には多数の点光源に変換し、照射面を均一な照度分布にする際に用いられるレンズである。
【００２４】
ＲＧＢセンサ１２３は、ＬＥＤ１２１、１１９、１１７の光がコンデンサレンズ３０２を透過した後の光量を検出できる位置に配置されるが、このような配置に限定されない。例えば、ＲＧＢセンサ１２３は、ＤＭＤ素子１１０のＯＦＦ（オフ）光３０９（ＤＭＤ素子１１０によって投影レンズ３１１側に反射されない光）の影響を受けない場所であれば、ＤＭＤ素子１１０に導光する照射光学系の他の場所に配置してもよい。フライアイレンズ３０３を介した光は再度、コンデンサレンズ３０４を介してプリズムレンズ(Prism Lens)３０５に導光される。コンデンサレンズ３０４は、球面収差や色収差を補正し照射光を照射対象物に有効的に集光するための複数枚のレンズで構成される。プリズムレンズ３０５における面３０６には鏡面状にアルミ蒸着加工が施されている。
【００２５】
コンデンサレンズ３０４を透過した、光源ユニット３０１からの照射光３０７は、プリズムレンズ３０５、３０８を介してＤＭＤ素子１１０に導光される。ＤＭＤ駆動部１０９（図１）によってＤＭＤ素子１１０の個々のミラーが投影レンズ３１１側に反射しない方向に傾けられた時、照射光３０７は、ＤＭＤ素子１１０のＯＦＦ光３０９として反射する。ＯＦＦ光３０９が到達する位置に不図示の光吸収材が配置される。一方、照射光３０７のうち、ＤＭＤ素子１１０によって投影レンズ３１１側に反射する光は、ＤＭＤ素子１１０のＯＮ（オン）光３１０としてプリズムレンズ３０８を通過する。プリズムレンズ３０８を通過したＯＮ光３１０は、左右反転した鏡像として投影レンズ３１１に導光され、スクリーン３１２に投影光３１３として照射される。
【００２６】
図４は、光量制御部のブロック図である。図４において、図１や図３で説明したものと同じ構成要素には同じ符号が付してある。画像入力Ｉ／Ｆ１０６から入力された画像信号４０１および同期信号は、画像信号処理部１０７とプロジェクタ制御部１０２とに入力される。なお、画像信号４０１の有無に関わらず、プロジェクタ装置１００を使用する際には、プロジェクタ制御部１０２は、光源ユニット３０１のＬＥＤ１２１、１１９、１１７の点灯制御を行う。そして、光源ユニット３０１の光量が、プロジェクタ装置１００として画像信号４０１を投影可能な光量に達すると、プロジェクタ制御部１０２は、ＤＭＤ駆動部１０９の制御を開始する。すると、光源ユニット３０１からの照射光はレンズユニット（レンズ３０２、３０３、３０４、３０５、３０８)を介してＤＭＤ素子１１０に照射され、ＤＭＤ素子１１０のＯＮ光が投影レンズ３１１を介してスクリーン３１２に画像として投影（投射）される。ＤＭＤ素子１１０は、光源ユニット３０１から発せられた光から画像を形成する形成手段に該当する。投影レンズ３１１は、形成された画像を投射する投射手段に該当する。
【００２７】
ＲＧＢセンサ１２３は、ＬＥＤ１２１、１１９、１１７の各々の光量変動を検出可能である。プロジェクタ制御部１０２は、ＲＧＢセンサ１２３の検出結果を、色度を示すｘｙデータに変換し、このｘｙデータに基づき、プロジェクタ装置１００におけるホワイトバランスの目標値に対する変動を抑制するための補正データを算出する。算出された補正データ（補正値９１１：図９（ｂ））はＲ電流制御部１２０、Ｇ電流制御部１１８、Ｂ電流制御部１１６における、ＬＥＤ１２１、１１９、１１７に供給される電流値の制御に反映される。これにより色度変動が補正される（色度調整）。
【００２８】
図５は、ＬＥＤ１２１、１１９、１１７に供給される点灯制御信号（制御電流）の一例を示す図である。Ｒ−ＬＥＤ１２１の制御信号５０１においては、点灯区間５０５と消灯区間５０６とが交互に訪れる。Ｇ−ＬＥＤ１１９の制御信号５０２においては、点灯区間５０８と消灯区間５０７とが交互に訪れる。Ｂ−ＬＥＤ１１７の制御信号５０３においては、点灯区間５１１と消灯区間５１０とが交互に訪れる。図５の例では、ＬＥＤ１２１、１１９、１１７の点灯制御周期ｔは１／６０秒である。
【００２９】
図６は、ＬＥＤ１２１、１１９、１１７に制御電流を供給する定電流制御回路の概略構成を示す図である。図６では代表としてＲ−ＬＥＤ１２１に関する定電流制御回路を示す。Ｇ−ＬＥＤ１１９、Ｂ−ＬＥＤ１１７に関する定電流制御回路は、図示を省略するが、図６に示すものと同様に構成される。Ｒ電流制御部１２０は、Ｄ／Ａコンバータ６０２およびＰＷＭ制御回路６０１を有する。
【００３０】
Ｒ電流制御部１２０は、プロジェクタ制御部１０２により算出された補正データを基に、Ｄ／Ａコンバータ６０２を用いてオペアンプ（ＡＭＰ）６０３の入力端子６０４（＋）のＶｒｅｆ電圧を制御する。オペアンプの性質上、他方の入力端子（−）もＶｒｅｆ電圧となるため、電源（Ｖｃｃ）６０７によってＲ−ＬＥＤ１２１に供給される電流（Ｉｏ）６１１は、抵抗（Ｒｓ）６１０と接続点６０６の電圧Ｖｒｅｆとから決まる。この定電流制御回路は、ＦＥＴ６０９、ゲート抵抗（Ｒｂ）６０５の不帰還回路を含め、一般的な電流吸い込みタイプの定電流回路となる。Ｒ−ＬＥＤ１２１の点灯制御信号に従って光源のＯＮ／ＯＦＦ制御が行われる。従って、Ｒ電流制御部１２０は、ＰＷＭ制御回路６０１によって生成された制御信号５０１をＦＥＴ６０８のＯＮ／ＯＦＦ制御信号として用いることで、Ｒ−ＬＥＤ１２１の点灯、消灯を制御する。
【００３１】
図７（ａ）、（ｂ）、（ｃ）は、それぞれ、ＬＥＤ１２１、１１９、１１７の温度特性と制御電流の関係を示す図である。図７（ｄ）は、Ｒ−ＬＥＤ１２１の放熱構造を示す図である。図７（ｄ）では代表してＲ−ＬＥＤ１２１の放熱構造を示すが、Ｇ−ＬＥＤ１１９、Ｂ−ＬＥＤ１１７の放熱構造も図７（ｄ）に示すものと同様である。図７（ａ）〜（ｃ）において、横軸と左側の縦軸は図２（ａ）〜（ｃ）のものと同じである。
【００３２】
図７（ｄ）に示すように、大電流制御が可能なパワーＬＥＤの自己発熱を抑制するために、大きな放熱用ヒートシンク７１３にＲ−ＬＥＤ１２１が取り付けられ、ＬＥＤ冷却部１２２によって冷却が行われる。このような放熱構造であるため、時間経過に伴い、ＬＥＤ１２１、１１９、１１７の温度は各々、収束線２０３、２０８、２１３で示す、発熱と放熱のバランスが取れた温度で一定となる。
【００３３】
図７（ａ）では、Ｒ−ＬＥＤ１２１の温度特性に第１曲線７０２が追記されている。第１曲線７０２は、色度変動が無く安定した光量を得るための理想の制御電流をプロットして得られた曲線である。右側の縦軸７０１は、Ｒ−ＬＥＤ１２１の第１曲線７０２に対応した軸であり、温度がほぼ一定となる収束線２０３と曲線２０１との交点７０３を１とした場合の電流比を示している。図７（ａ）から、Ｒ−ＬＥＤ１２１の温度が約２５°のときの光量２０２に対応する制御電流の値は値７０４であることがわかる。
【００３４】
同様に、図７（ｂ）では、Ｇ−ＬＥＤ１１９の温度特性に第２曲線７０６が追記されている。第２曲線７０６は、色度変動が無く安定した光量を得るための理想の制御電流をプロットして得られた曲線である。右側の縦軸７０５は、第２曲線７０６に対応した軸であり、収束線２０８と曲線２０６との交点７０７を１とした場合の電流比を示している。図７（ｂ）から、Ｇ−ＬＥＤ１１９の温度が約２５°のときの光量２０７に対応する制御電流の値は値７０８であることがわかる。
【００３５】
同様に、図７（ｃ）では、Ｂ−ＬＥＤ１１７の温度特性に第３曲線７１０が追記されている。第３曲線７１０は、色度変動が無く安定した光量を得るための理想の制御電流をプロットして得られた曲線である。右側の縦軸７０９は、第３曲線７１０に対応した軸であり、収束線２１３と曲線２１１との交点７１１を１とした場合の電流比を示している。図７（ｃ）から、Ｂ−ＬＥＤ１１７の温度が約２５°のときの光量２１２に対応する制御電流の値は値７１２であることがわかる。
【００３６】
なお、点灯開始時にはＬＥＤ１２１、１１９、１１７の周囲温度が不明であるため、点灯開始時に供給する制御電流（初期制御電流）には、予め決められた値が用いられる。本実施の形態では、ＬＥＤ１２１、１１９、１１７の初期制御電流の値は、それぞれ、値７０４、７０８、７１２と設定される。
【００３７】
図８（ａ）、（ｂ）は、色度ｘ、色度yの時間変化を示す図である。ＲＧＢセンサ１２３の出力（ＲＧＢ信号）から色度ｘyを算出する手法は一般的であるので演算手法の説明を省略する。図８（ａ）では縦軸に色度ｘ、横軸に時間（単位はｍｉｎ）をとる。図８（ｂ）では縦軸に色度ｙ、横軸に時間（単位はｍｉｎ）をとる。
【００３８】
図８（ａ）において、曲線８０３は、色度調整（補正処理）をしない場合の色度ｘの変化を示す。曲線８０４は、本実施の形態における、予め決められたホワイトバランスに合わせ込む色度調整を実施した場合の色度ｘの変化を示す。図８（ｂ）において、曲線８０７は、色度調整（補正処理）をしない場合の色度ｙの変化を示す。曲線８０８は、本実施の形態における、予め決められたホワイトバランスに合わせ込む色度調整を実施した場合の色度ｙの変化を示す。色度調整を実施しない場合、色度ｘ、ｙ共に、点灯開始から１７分程経過した時点での変動は０.００２〜０.００３程度である。この変化量は、数値の上では小さいが、特に色度ｘに関しては見た目にわかる程度の変化量となるため、色度変動のない投影光を得る上では色度調整が必要となる。
【００３９】
図９（ａ）は、ＸＹＺ(Ｙｘｙ)表色系を用いた色度補正を説明する図である。図９（ｂ）は、色度調整機構のブロック図である。ＸＹＺ表色系は、ＲＧＢ表色系、即ち赤(ＲＥＤ：Ｒ)、緑(ＧＲＥＥＮ：Ｇ)、青(ＢＬＵＥ：Ｂ)の３原色の加法混色で全ての色が表現されることを前提としたにも拘らず、３原色の混色で等色できない色が存在したために作り出された表色系である。Ｘ、Ｙ、Ｚは３刺激値と呼ばれ、Ｒ、Ｇ、Ｂから換算できる。以下に換算式（１）（２）（３）を示す。
Ｘ＝２.７６８９Ｒ＋１.７５１７Ｇ＋１.１３０２Ｂ・・・（１）
Ｙ＝Ｒ＋４.５９０７Ｇ＋０.０６０１Ｂ・・・（２）
Ｚ＝０.０５６５Ｇ＋５.５９４３Ｂ・・・（３）
【００４０】
これらの換算式で求められる３刺激値は実際にある色では無いが、意味合いとしては次のように表現され用いられている。「Ｘ」は赤の量であり、明度を持たない。「Ｙ」は緑の量であり、唯一明度を持つ。「Ｚ」は青の量であり、明度を持たない。ＸＹＺ表色系とＸＹＺ(Ｙｘｙ)表色系とは表記の仕方が異なるが同じものである。Ｘ、Ｙ、Ｚをグラフ化すると３軸で表記することになり直感的に解り難いことから２軸表記が可能なＹ、ｘ、ｙ表記が考案され、一般的に使用されている。上述した３刺激値は以下の式（４）（５）（６）（７）によりｘ、ｙ、ｚに変換される。
ｘ＝Ｘ／(Ｘ＋Ｙ＋Ｚ)・・・（４）
ｙ＝Ｙ／(Ｘ＋Ｙ＋Ｚ)・・・（５）
ｚ＝Ｚ／(Ｘ＋Ｙ＋Ｚ)・・・（６）
ｘ＋ｙ＋ｚ＝１・・・（７）
【００４１】
これらの式により、ｘ、ｙが決まれば必然的にｚの値は定まる。しかし、この表記では、Ｘ＝Ｙ＝Ｚ＝１のときと、Ｘ＝Ｙ＝Ｚ＝１０のときとでｘ,ｙ,ｚが同じになるという問題があるため、Ｘ、Ｙ、Ｚの内の１つを明示して色を特定するルールが定められている。従って、明度を示すＹとｘ,ｙで示す色度とを用いたＹｘｙ表色系が一般的に用いられている。
【００４２】
図９（ａ）では、３刺激値Ｘ、Ｙ、Ｚを用いたＸＹＺ表色系から導かれた等色関数が表記されている（換算式（１）〜（３）を表記したもの）。縦軸に３刺激値、横軸に波長（ｎｍ）をとっている。曲線９０３はＢの刺激値、曲線９０４はＧの刺激値、曲線９０５はＲの刺激値を示している。曲線９０６はＲＧＢ表色系でマイナス表記となる部分をＸＹＺ表色系で補正し、人間の目に対応する分好感度として表記したものである。
【００４３】
図１０は、ＸＹＺ表色系色度図である。この色度図は、３刺激値を基にＸＹＺ表色系で求まる色を表記したものである。図１０において、横軸にｘ、縦軸にｙをとっている。この色度図において、「視感反射率（明度）：Ｙ」は一定として表記されており、ｘの値が大きいと赤みが大きくなり、ｙの値が大きくなると縁みが大きくなり、ｚの値が大きいと青みが大きくなる。スペクトル軌跡９１６と純紫軌跡９１７とで囲まれた領域が色相と呼ばれる。スペクトル軌跡９１６には３８０ｎｍ(青)から、７００〜７８０ｎｍ(赤)までスペクトルとして存在する色がプロットされている。純紫軌跡９１７はスペクトルでは存在しない色で、スペクトルの混色によって作ることのできる色を示す。色度図において、領域９１３がＲＥＤ、領域９１４がＧＲＥＥＮ、領域９１５がＢＬＵＥであり、ｘ、ｙ、ｚが０.３３となる座標９１８が白色点である。
【００４４】
ＸＹＺ(Ｙｘｙ)表色系を用いて色度変動を検出し、色度を補正する色度調整機構を図９（ｂ）で説明する。ＬＥＤ１２１、１１９、１１７の光量をＲＧＢセンサ１２３が検出する。ＲＧＢセンサ１２３は検出結果として出力９０７を出力する。出力９０７の出力方式は限定されないが、説明の便宜上、Ｒ出力、Ｇ出力、Ｂ出力共に、受光量をＡ／Ｄ変換した１０ｂｉｔまたは１２ｂｉｔのシリアルデータ化されたディジタル出力であるとする。
【００４５】
プロジェクタ制御部１０２内のカラーコントロール部９０８は、出力９０７に演算処理を施して３刺激値９０９を算出し、３刺激値９０９をプロジェクタ装置１００内の色度設定部９１０に伝送する。色度設定部９１０は、プロジェクタ装置１００内部で決められたホワイトバランスを合わせ込むための補正データとして補正値９１１を算出し、補正値９１１をカラーコントロール部９０８に送る。カラーコントロール部９０８は、補正値９１１を元に、Ｒ電流制御部１２０、Ｇ電流制御部１１８、Ｂ電流制御部１１６を介してＬＥＤ１２１、１１９、１１７の光量を制御する。これにより、検出光量に基づく色度調整が実現される。
【００４６】
図１１は、色度調整処理のフローチャートである。この処理は、プロジェクタ装置１００の不図示のパワースイッチがオンにされると開始される。この処理は、ＣＰＵ１０１が、ＲＯＭ１０３に格納されたプログラムをＲＡＭ１０４に読み出して実行することにより実現される。この処理において、ＣＰＵ１０１は、本発明における取得手段、制御手段に該当する。
【００４７】
ステップＳ１０１では、ＣＰＵ１０１は、ＬＥＤ１２１、１１９、１１７の点灯制御を開始する。さらに、ＣＰＵ１０１は、所定時間Ｔ１の計時も開始する。所定時間Ｔ１は固定値で、例えば１６分であるとする。１６分は、点灯開始から、色度調整をしない場合の色度ｘの変化を示す曲線８０３（図８（ａ））が安定（収束）するのに要する時間に相当する。従って、所定時間Ｔ１は１６分以上の固定値であってもよい。ここで、点灯制御の開始時点ではＬＥＤ１２１、１１９、１１７の温度が不明である。そこでＣＰＵ１０１は、ＬＥＤ１２１、１１９、１１７の初期制御電流の値としてそれぞれ、値７０４、７０８、７１２を設定し、ＬＥＤ１２１、１１９、１１７を点灯させる。これは、多くの場合、使用前の室温が２５°付近であると仮定したからである。なお、初期制御電流に設定する値はこれらの例示に限定されない。ステップＳ１０２では、ＣＰＵ１０１は、ＬＥＤ冷却部１２２による冷却制御を開始する。ステップＳ１０３では、ＣＰＵ１０１は、ＲＧＢセンサ１２３を用いた光量検出を開始する。
【００４８】
ステップＳ１０４では、ＣＰＵ１０１は、ＲＧＢセンサ１２３による検出光量から色度を求めると共に、求めた色度と「目標色度」との差分を算出し、当該差分が許容範囲（所定範囲）内であるか否かを判別する。ここで、目標色度は、予め設定したホワイトバランス（予め設定した白レベルを再現するための各光源の目標光量によって規定されるホワイトバランス）を示す色度である。上記差分は、目標色度に対する求めた色度のズレ量である。上記許容範囲の一例としては、色度ｘで±０.００１以内で且つ、色度ｙで±０.００１以内とする。
【００４９】
ステップＳ１０４の判別の結果、差分が許容範囲内である場合は、ホワイトバランスが、予め設定したホワイトバランスに近くなっており、制御電流の変更が不要であるので、ＣＰＵ１０１は、処理をステップＳ１０９に進める。しかし、差分が許容範囲内でない場合は、ＣＰＵ１０１は、ステップＳ１０５〜Ｓ１０８で、検出光量に応じた制御電流の変更処理を実施する。
【００５０】
まず、ステップＳ１０５では、ＣＰＵ１０１は、検出光量に基づいて、色成分毎に空間変調する色空間演算処理を実施して色度ｘｙを取得し、取得した色度ｘｙから補正値９１１を算出する。さらにＣＰＵ１０１は、補正値９１１に基づいて、ＬＥＤ１２１、１１９、１１７に供給する制御電流の値を算出・設定する（図９（ｂ）参照）。ここで、上記差分の大きさに応じて各制御電流が設定される。例えば、差分が所定範囲内となるように、補正値９１１が算出され、各制御電流が設定される。
【００５１】
ステップＳ１０６では、ＣＰＵ１０１は、Ｒ−ＬＥＤ１２１用に設定した制御電流を、Ｒ−ＬＥＤ１２１に供給する。同様に、ステップＳ１０７、Ｓ１０８では、Ｇ−ＬＥＤ１１９、Ｂ−ＬＥＤ１１７用にそれぞれ設定した制御電流をＧ−ＬＥＤ１１９、Ｂ−ＬＥＤ１１７に供給する。
【００５２】
ステップＳ１０９では、ＣＰＵ１０１は、点灯開始から所定時間Ｔ１が経過したか否かを判別する。そして、点灯開始から所定時間Ｔ１が経過していない場合は、ＣＰＵ１０１は、ステップＳ１１０で、色度調整のインターバルとしてインターバルｔ１（第１の時間間隔）を採用し、インターバルｔ１の経過を待ってから、処理をステップＳ１１２に進める。一方、点灯開始から所定時間Ｔ１が経過している場合は、ＣＰＵ１０１は、ステップＳ１１１で、色度調整のインターバルとしてインターバルｔ２（第２の時間間隔）を採用し、インターバルｔ２の経過を待ってから、処理をステップＳ１１２に進める。ここで、インターバルｔ２はインターバルｔ１より長い。
【００５３】
ステップＳ１１２では、ＣＰＵ１０１は、各ＬＥＤ光源のＯＦＦ（消灯）制御の指示が入力されているか否かを判別する。そして、各ＬＥＤ光源のＯＦＦ（消灯）制御の指示が入力されていない場合は、各ＬＥＤ光源の点灯処理を継続する必要があるので、ＣＰＵ１０１は、処理をステップＳ１０４に戻す。ステップＳ１０４に戻った以降は、新たに検出された光量に基づいて、ステップＳ１０５〜Ｓ１０８で制御電流の変更処理が実施される。
【００５４】
従って、ＣＰＵ１０１は、検出光量に基づいて各光源に供給する制御電流を切り替える際、点灯開始から所定時間Ｔ１が経過する前まではインターバルｔ１で制御電流を切り替える。しかし、点灯開始から所定時間Ｔ１が経過した後はより長いインターバルｔ２で制御電流を切り替える。点灯開始から所定時間Ｔ１が経過するとＬＥＤ１２１、１１９、１１７の光量が安定するので、色度調整のインターバルを長めに変更することで、投影画像のチラツキを抑制できる。すなわち、色度調整で制御電流が変更される時に、色味変動が目に感じられることがある。制御電流の変更頻度が高すぎると投影光のチラツキとして感じられる。従って、光源の温度が安定して色度ｘの変化が収束する時点以降に制御電流の変更頻度を低くすることで、投影光のチラツキを抑制できる。
【００５５】
ステップＳ１１２で、各ＬＥＤ光源のＯＦＦ（消灯）制御の指示が入力されている場合は、ＣＰＵ１０１は、ステップＳ１１３で、光源の消灯制御を実施する。すなわち、ＣＰＵ１０１は、ＬＥＤ１２１、１１９、１１７に供給している制御電流を０とするように電流を絞る制御を行うと共に、ＦＥＴ６０８をＯＦＦ制御することで電流がＬＥＤ１２１、１１９、１１７に供給されないように制御する。その後、ステップＳ１１４では、ＣＰＵ１０１は、冷却停止処理を実行する。すなわち、ＣＰＵ１０１は、ＬＥＤ１２１、１１９、１１７の消灯後、予め定めた冷却時間（１０分あるいは１５分）が経過するとプロジェクタ装置１００内部の機内温度が適度に下がるので、ＬＥＤ冷却部１２２を停止させる。その後、ＣＰＵ１０１は、図１１の処理を終了する。
【００５６】
本実施の形態によれば、ＣＰＵ１０１は、光源（ＬＥＤ１２１、１１９、１１７）ごとに検出された点灯光量に基づいて色度を取得し、色度に基づいて各光源に供給する制御電流を設定し、該設定した制御電流で各光源を制御する。これにより、各光源の光量バラツキを含めた色度調整を実現し、光源の個々の光量バラツキを補償できる。よって、光源の個々の光量バラツキに起因する色度の変動を抑制することができる。特に、検出された点灯光量に基づいて取得される色度と目標色度との差分が所定範囲内となるように制御電流を設定するので、ホワイトバランスを、予め設定したホワイトバランスに近付けることができる。
【００５７】
また、ＣＰＵ１０１は、光源の点灯開始から所定時間Ｔ１が経過する前よりも、所定時間Ｔ１が経過した後の方が、制御電流を切り替える時間間隔を長くする。これにより、色度調整に伴い各光源の制御電流を変更する際の微妙な色度変化に伴う投影光のチラツキを抑制することができる。
【００５８】
（第２の実施の形態）
本発明の第２の実施の形態では、サーミスタ１１０１が用いられる。例えば、ＣＰＵ１０１は、ＬＥＤ１２１、１１９、１１７の点灯制御を開始する際に、サーミスタ１１０１の検出温度に応じた制御電流をＲ電流制御部１２０、Ｇ電流制御部１１８、Ｂ電流制御部１１６に設定する。本実施の形態のその他の構成は第１の実施の形態と同様である。第１の実施の形態に対し、図１１に代えて図１３を加え、さらに図１２を加えて本実施の形態を説明する。
【００５９】
図１２（ａ）、（ｂ）、（ｃ）は、それぞれ、ＬＥＤ１２１、１１９、１１７の温度特性と制御電流の関係を示す図である。図１２（ａ）、（ｂ）、（ｃ）では、図７（ａ）、（ｂ）、（ｃ）に対し、光量１２０１、１２０３、１２０５と、制御電流の値１２０２、１２０４、１２０６とが追加されている。図１２（ａ）からわかるように、Ｒ−ＬＥＤ１２１の温度が約２５°のときの光量２０２に対応する制御電流の値は値７０４であるが、Ｒ−ＬＥＤ１２１の温度が約５０°のときの光量１２０１に対応する制御電流の値は値１２０２である。図１２（ｂ）からわかるように、Ｇ−ＬＥＤ１１９の温度が約２５°のときの光量２０７に対応する制御電流の値は値７０８であるが、Ｇ−ＬＥＤ１１９の温度が約６８°のときの光量１２０３に対応する制御電流の値は値１２０４である。図１２（ｃ）からわかるように、Ｂ−ＬＥＤ１１７の温度が約２５°のときの光量２１２に対応する制御電流の値は値７１２であるが、Ｂ−ＬＥＤ１１７の温度が約４５°のときの光量１２０５に対応する制御電流の値は値１２０６である。
【００６０】
従って、ＬＥＤ１２１、１１９、１１７の温度を検出できれば、プロジェクタ装置１００におけるホワイトバランスを崩すことなく、点灯開始時の制御電流値を最適な値に設定して点灯制御を開始することが可能となる。サーミスタ１１０１を用いたＬＥＤ１２１、１１９、１１７の初期制御電流の設定方法について、図１２（ａ）を用いた例で説明する。
【００６１】
第１の制御手法では、Ｒ−ＬＥＤ１２１の温度特性（曲線２０１）と第１曲線７０２をルックアップテーブルとしてＲＯＭ１０３に格納しておき、ＣＰＵ１０１は、サーミスタ１１０１の検出温度を基にＲ−ＬＥＤ１２１の初期制御電流を決定する。縦軸７０１は収束線２０３との交点７０３を１とした場合の電流比であるから、交点７０３では電流比１である。例えば電流比１のときの制御電流が１２Ａであったとすれば、Ｒ−ＬＥＤ１２１の温度が約２５°のときの光量２０２に対応する制御電流の値７０４は、電流比で約０.９である。そこでＣＰＵ１０１は、１２Ａと０.９とから、Ｒ−ＬＥＤ１２１の初期制御電流を１０.８Ａと決定できる。
【００６２】
また、第２の制御手法では、交点７０３における光量および制御電流をＲＯＭ１０３に格納する。ＣＰＵ１０１は、Ｒ−ＬＥＤ１２１の温度特性（曲線２０１）と第１曲線７０２がほぼ線形であるとみなして、サーミスタ１１０１の検出温度に基づいて、温度と電流比との関係による比率計算により、Ｒ−ＬＥＤ１２１の初期制御電流を決定する。交点７０３での制御電流が１２Ａで、サーミスタ１１０１の検出温度が２５°であったとすると、ＣＰＵ１０１は、Ｒ−ＬＥＤ１２１の初期制御電流を１０.８Ａと決定できる。Ｇ−ＬＥＤ１１９、Ｂ−ＬＥＤ１１７の初期制御電流についても、第１または第２の制御手法で決定できる。
【００６３】
図１３は、色度調整処理のフローチャートである。この処理の開始条件、実行条件は図１１に示す色度調整処理と同様である。
【００６４】
ステップＳ２０１では、ＣＰＵ１０１は、サーミスタ１１０１によって検出された機内温度（ＬＥＤ１２１、１１９、１１７近傍の温度）を取得する。ステップＳ２０２では、ＣＰＵ１０１は、取得した機内温度に応じて、上記した第１または第２の制御手法により、ＬＥＤ１２１、１１９、１１７の各初期制御電流の値を決定する。ステップＳ２０３では、ＣＰＵ１０１は、色度調整インターバルの切り替えタイミングを決定する。ここで、ＬＥＤ１２１、１１９、１１７の各々の温度上昇が収束するまでに掛かる時間は異なる。そこでＣＰＵ１０１は、図１２（ｃ）の曲線２１１を参照し、サーミスタ１１０１の検出温度に基づき、収束温度が最も高いＧ−ＬＥＤ１１９の温度が収束線２０８に到達するまでの所要時間を求める。そしてＣＰＵ１０１は、現在時刻から所要時間だけ後の時刻を切り替えタイミングとして決定する。
【００６５】
ステップＳ２０４では、ＣＰＵ１０１は、ステップＳ２０２で決定した各初期制御電流を、ＬＥＤ１２１、１１９、１１７に供給することでＬＥＤ１２１、１１９、１１７を点灯させる。さらに、ＣＰＵ１０１は、切り替えタイミング用の計時も開始する。
【００６６】
ステップＳ２０５〜Ｓ２１１では、ＣＰＵ１０１は、図１１のステップＳ１０２〜Ｓ１０８と同様の処理を実行する。ステップＳ２１１の後、ステップＳ２１２で、ＣＰＵ１０１は、図１１のステップＳ１１２と同様の処理を実行する。ＣＰＵ１０１は、ステップＳ２１２の判別の結果、各ＬＥＤ光源のＯＦＦ（消灯）制御の指示が入力されていない場合は、処理をステップＳ２１３に進める。ＣＰＵ１０１は、各ＬＥＤ光源のＯＦＦ（消灯）制御の指示が入力されている場合は、処理をステップＳ２１５に進める。
【００６７】
ステップＳ２１３では、ＣＰＵ１０１は、切り替えタイミングを経過しているか否かを判別する。そして、切り替えタイミングの経過前であれば、処理をステップＳ２０７に戻す。この場合、例えば、第１の実施の形態で採用したインターバルｔ１を待って、ステップＳ２０７が実行される。しかし、切り替えタイミングが経過していれば、ＣＰＵ１０１は、処理をステップＳ２１４に進める。ステップＳ２１４では、ＣＰＵ１０１は、色度調整のインターバルを長くするよう変更する。ＣＰＵ１０１は、例えば、第１の実施の形態と同様に、インターバルｔ１より長いインターバルｔ２を採用し、処理をステップＳ２０７に戻す。この場合、インターバルｔ２を待って、ステップＳ２０７が実行される。ステップＳ２１５、Ｓ２１６では、ＣＰＵ１０１は、図１１のステップＳ１１３、Ｓ１１４と同様の処理を実行して、図１３の処理を終了する。
【００６８】
本実施の形態によれば、光源の個々の光量バラツキに起因する色度の変動を抑制すること、および、投影光のチラツキを抑制することに関し、第１の実施の形態と同様の効果を奏することができる。また、機内温度に応じて各初期制御電流が設定されるので、色度の変動を安定させるまでの時間を短縮することができる。例えば、プロジェクタ装置１００の電源のオフ後、まもなく電源がオンにされた場合等においては、光量を安定させ色度調整のインターバルが切り替わるまでの時間を短縮可能な場合が多いと考えられる。
【００６９】
ところで、上記各実施の形態において、プロジェクタ装置１００は、パーソナルコンピュータ機能を備えてもよい。このような構成のプロジェクタ装置１００を、図１４、図１５で説明する。
【００７０】
図１４は、変形例のプロジェクタ装置１００の概略ブロック図である。プロジェクタ装置１００は、投射機構部１００Ａとパーソナルコンピュータ機能部１００Ｂとを有する。一般に、パーソナルコンピュータは、外部モニタに対して画像を出力し、かつ、モニタ画質に関しては、オペレータの好みに合う輝度、色味を調節して使用される。外部モニタに対して行った調整を投射機構部１００Ａの投影光に対して反映させる場合、投射機構部１００Ａは、オペレータの好みに合わせたホワイトバランスにおける投影光を調節する。また投射機構部１００Ａは、オペレータが決定したホワイトバランスに対し、ＬＥＤ１２１、１１９、１１７の光量を調整し合わせ込む制御を行う。これらにより、オペレータの要求に応じた輝度、色味の投影光への合わせ込みを可能とし、投影画像のチラツキを速やかに抑制可能なプロジェクタ装置を実現できる。
【００７１】
図１４において、図１で説明したのと同じ構成要素には同じ符号を付してその説明を省略する。投射機構部１００Ａには、出力切替部１４１２が設けられる。パーソナルコンピュータ機能部１００Ｂには、ＣＰＵ１０１と接続されたチップセット１４０１が設けられる。チップセット１４０１は、機能によって大きく二つに分類される。まず、サウスブリッジ１４０３には、ＨＤＤ１４０４、ＣＤ／ＤＶＤＲＯＭ１４０５、キーボード１４０６、マウス１４０７、ＬＡＮ１４０８、音声出力部１１２が接続される。サウスブリッジ１４０３は音声の入出力処理を実行する。
【００７２】
ノースブリッジ１４０２は、主にグラフィックスの処理やメモリインターフェースの制御を行う。ノースブリッジ１４０２にはグラフィックス１４１０、メモリ１４０９が接続されている。グラフィックス１４１０は画像出力Ｉ／Ｆ１４１１を介して、外部モニタ１４１３に映像を出力すると共に、出力切替部１４１２を介してプロジェクタ装置１００に対する画像出力が可能な構成となっている。従って、ＣＰＵ１０１は、外部モニタ１４１３に対して行っていた画質調整をプロジェクタ装置１００に対しても行える。しかもＣＰＵ１０１は、オペレータによって設定されたプロジェクタ装置１００内部で決められたホワイトバランスを維持可能な様に色度調整を行える。
【００７３】
グラフィックス１４１０および画像出力Ｉ／Ｆ１４１１は、外部モニタ１４１３に画像を出力可能な出力手段である。画像を投射する場合は、出力切替部１４１２は、グラフィックス１４１０により出力される画像の出力先を、画像信号処理部１０７に切り替える。これにより、グラフィックス１４１０により出力される画像は、画像変換部１０８、ＤＭＤ駆動部１０９、ＤＭＤ素子１１０を介して、投影レンズ３１１により投射される。
【００７４】
図１５は、図１４に示した変形例のプロジェクタ装置１００の構成例を示す図である。キーボード１４０６、マウス１４０７は、プロジェクタ装置１００の本体とは別体となっている。スクリーン３１２に投影光１５０１が投射される。スクリーン３１２に投影された投影光１５０１を、オペレータによって設定されたホワイトバランスで投影するために、図１１や図１３で説明した色度調整制御が実施される。
【００７５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００７６】
１０１  ＣＰＵ
１０２  プロジェクタ制御部
１１０  ＤＭＤ素子
１２１、１１９、１１７  ＬＥＤ
１２３  ＲＧＢセンサ
３０１  光源ユニット
３１１  投影レンズ
【図１】
2020046464.tif 000003
【図２】
2020046464.tif 000004
【図３】
2020046464.tif 000005
【図４】
2020046464.tif 000006
【図５】
2020046464.tif 000007
【図６】
2020046464.tif 000008
【図７】
2020046464.tif 000009
【図８】
2020046464.tif 000010
【図９】
2020046464.tif 000011
【図１０】
2020046464.tif 000012
【図１１】
2020046464.tif 000013
【図１２】
2020046464.tif 000014
【図１３】
2020046464.tif 000015
【図１４】
2020046464.tif 000016
【図１５】
2020046464.tif 000017